(57)【特許請求の範囲】
【請求項１】
毛髪に粘着部材を用いて装着するヘアエクステンションであって、
天然毛、または人工毛からなる毛束の一端に、当該毛束を装着者の毛髪に固定する固定部を備え、
前記固定部は、３つの止着部からなり、
前記止着部は、前記毛束の端を平坦な薄板状に整えて接着固定し、その１つの平坦面に粘着部を備え、前記毛束の一端側の２つの稜を円弧状に整えてなり、前記毛束の一端から他端へ向かう方向と並行な辺のうち、少なくとも１つの辺が、他の止着部の同一方向の辺と接し、
前記固定部を前記止着部が接する辺から折重ねると２つの止着部に挟まれる位置となる止着部は、その粘着部を備える面の背面に、さらに粘着部を備えることを特徴とする、ヘアエクステンション。
【請求項２】
前記固定部は、前記３つの止着部が、前記毛束の一端から他端へ向かう方向と平行な辺を隣接し、並列してなることを特徴とする、請求項１に記載のヘアエクステンション。
【請求項３】
前記固定部は、前記止着部の粘着部に剥離可能に貼着する剥離部を備え、当該剥離部は貼着する粘着部より一部突出することを特徴とする、請求項１または請求項２に記載のヘアエクステンション。
【請求項４】
前記固定部は連接することを特徴とする、請求項２に記載のヘアエクステンション。
【請求項５】
請求項２に記載のヘアエクステンションを再装着するためのテープであって、
当該テープは、前記３つの止着部が並列してなる前記固定部に、その長手方向の何れか一端の止着部に、他の止着部に接しない辺において連接する前記止着部からなる平面形状と同一の形状であって、
その両面に粘着部を備え、
当該粘着部は、該粘着部と同一の形状であって、該粘着部と剥離可能に貼着する剥離部を夫々備え、
１つの剥離部は、前記固定部とこれに連接する止着部の辺において切断されることを特徴とする、ヘアエクステンション装着用テープ。
【請求項６】
請求項１から請求項２に記載のヘアエクステンションを装着する方法であって、前記２つの面に粘着部を備える止着部の一方の粘着面と、当該一方の粘着面に対面する止着部の粘着部との間に装着者の毛髪を挟み込んで、当該止着部を装着者の毛髪に止着する工程と、
前記２つの面に粘着部を有する止着部の他方の粘着部と、これに対面する止着部の粘着部との間に装着者の毛髪を挟み込んで、当該止着部を装着者の毛髪に止着する工程と、を含むヘアエクステンションの装着方法。
【発明の詳細な説明】
【技術分野】
【０００１】
本発明は、装着者の毛髪に装着するヘアエクステンション、その装着方法、及びヘアエクステンション装着用テープに係り、特に粘着剤を用いて装着者の毛髪に装着するものに関するものである。
【背景技術】
【０００２】
ヘアエクステンションとは、装着者の毛髪に接続することで、装着者の毛髪を実際の毛髪よりも長くみせるようにするための天然毛や人工毛の束のことである。
近年においては、ヘアエクテンションは、装着者の髪の長さを長くしたい場合に限らず、毛髪にボリューム出したり、毛髪の髪色に差し色をしたりと、自身の髪型をアレンジしたい場合などに利用される。
ヘアエクステンションは、装着者の毛髪に脱着可能に接続され、その接続は、編み込みやシリコンキャップや金属チップ、熱収縮チューブ、シール等によりなされる。
シールを用いる接続の場合、一般に、アイロンなどの器具を必要とせず、粘着剤が塗布等されたシールにて装着者の毛髪を挟み込んで装着するため、ヘアエクステンションの装着に要する時間は上記他の接続方法に対して短い。
また薄い平板のシールによって装着者の毛髪へ装着するため、他の接続方法に比べて突起が少ないことが特徴であり、装着者への装着時における違和感が少なく、毛髪への馴染みも良いため、現在はシールによる接続がヘアエクステンション装着方法の主流となっている。
【０００３】
しかしながら、シールによるヘアエクステンションの接続方法は他の接続方法に比べ、接続の強度が弱く、ヘアエクステンションが脱落しやすいという問題がある。
例えば、ヘアエクステンションを装着した毛髪の洗髪やブラッシングの際などにヘアエクシテンションの接続部や毛束を指やブラシ等に引っ掛けたりすることにより、ヘアエクシテンションが脱落することがある。また、ヘアエクステンションは、引っ掛ける等のヘアエクステンションのシール部分に力が加わって脱落する以外にも、シールの劣化等により脱落する。シールの接続が持続するのは、現在の市場商品においては、およそ２から３週間程度である。
【０００４】
この問題を解決すべく、頭髪から脱落し難く、さらに脱毛の危険性を低減させることができるヘアエクステンションと、その取付方法が公開されている（例えば、特許文献１）。
特許文献１記載の技術は、複数の粘着シート（第１の粘着シート３０，第２の粘着シート３１）を貼り合わせた止着部（３）を形成し、その止着部（３）を固着部（２）の平坦面（固着部２の上面２ａ，下面２ｂ，左側面２ｃ，右側面２ｄ）に固着することにより、止着部（３）の強度が増すこととなる。それゆえ、止着部（３）を自毛束（ＨＧ）に止着させた際、止着部（３）の強度が高いため、自毛束（ＨＧ）の重みによっても、ヘアエクステンション（Ｈ）が脱落し難くなる。これにより、ヘアエクステンション（Ｈ）を取付ける際、頭髪の量、すなわち、自毛束（ＨＧ）の量を少なくする必要がないため、脱毛の危険性を低減させることができる、とういうものである。
【０００５】
しかし、特許文献１記載の技術における、「止着部（３）の強度が高い」とは、止着部（３）と固着部（２）の接着強度が高いということであって、ヘアエクステンション（Ｈ）と自毛束（ＨＧ）の接着強度が高いという意味ではない。つまり、止着部（３）の強度が高いことにより、ヘアエクステンション（Ｈ）から固着部２が脱落し難くなるが、自毛束（ＨＧ）からヘアエクステンション（Ｈ）が脱落し難くなるものではない。
【０００６】
また、ヘアエクステンションが天然毛である人毛からなる場合、その人毛部分の寿命は３から４ヶ月である。つまり、ヘアエクステンションが装着者の毛髪から、例えば２週間で脱落したとしても、ヘアエクステンションに取付けられた人毛は未だ十分に使用が可能な状態である。
これを受けて、接続部であるシールが破損、劣化して脱落したヘアエクステンションを再度装着可能とするために、ヘアエクステンションの接続部であるシール部分のみが市場商品として提供されている。しかしながら、当該シールを使用してヘアエクステンションを再度装着しても、当該シールの接着強度がヘアエクステンション当初のシールより高いというものではないため、ヘアエクステンション当初のシールと同様に、脱落の問題を抱える。
【先行技術文献】
【特許文献】
【０００７】
【特許文献１】特開２０１８−１６９０５号公報
【発明の概要】
【発明が解決しようとする課題】
【０００８】
本発明は、装着者の毛髪から脱落し難いヘアエクステンション、その装着方法、及びヘアエクステンション装着用テープを提供することを目的とする。
【課題を解決するための手段】
【０００９】
請求項１に記載の発明では、天然毛、または人工毛からなる毛束の一端に、当該毛束を装着者の毛髪に固定する固定部を備え、前記固定部は、３つの止着部からなり、前記止着部は、前記毛束の端を平坦な薄板状に整えて接着固定し、その１つの平坦面に粘着部を備え、前記毛束の一端側の２つの稜を円弧状に整えてなり、前記毛束の一端から他端へ向かう方向と並行な辺のうち、少なくとも１つの辺が、他の止着部の同一方向の辺と接し、前記固定部を前記止着部が接する辺から折重ねると２つの止着部に挟まれる位置となる止着部は、その粘着部を備える面の背面に、さらに粘着部を備えることを特徴とする、ヘアエクステンションを提供する。
請求項２に記載の発明では、前記固定部は、前記３つの止着部が、前記毛束の一端から他端へ向かう方向と平行な辺を隣接し、並列してなることを特徴とする、請求項１に記載のヘアエクステンションを提供する。
請求項３に記載の発明では、前記固定部は、前記止着部の粘着部に剥離可能に貼着する剥離部を備え、当該剥離部は貼着する粘着部より一部突出することを特徴とする、請求項１または請求項２に記載のヘアエクステンションを提供する。
請求項４に記載の発明では、前記固定部は連接することを特徴とする、請求項２に記載のヘアエクステンションを提供する。
請求項５に記載の発明では、請求項２に記載のヘアエクステンションを再装着するためのテープであって、当該テープは、前記３つの止着部が並列してなる前記固定部に、その長手方向の何れか一端の止着部に、他の止着部に接しない辺において連接する前記止着部からなる平面形状と同一の形状であって、その両面に粘着部を備え、当該粘着部は、該粘着部と同一の形状であって、該粘着部と剥離可能に貼着する剥離部を夫々備え、１つの剥離部は、前記固定部とこれに連接する止着部の辺において切断されることを特徴とする、ヘアエクステンション装着用テープを提供する。
請求項６に記載の発明では、請求項１から請求項２に記載のヘアエクステンションを装着する方法であって、前記２つの面に粘着部を備える止着部の一方の粘着面と、当該一方の粘着面に対面する止着部の粘着部との間に装着者の毛髪を挟み込んで、当該止着部を装着者の毛髪に止着する工程と、前記２つの面に粘着部を有する止着部の他方の粘着部と、これに対面する止着部の粘着部との間に装着者の毛髪を挟み込んで、当該止着部を装着者の毛髪に止着する工程と、を含むヘアエクステンションの装着方法を提供する。
【発明の効果】
【００１０】
請求項１に記載の発明によれば、天然毛、または人工毛からなる毛束の一端に、当該毛束を装着者の毛髪に固定する固定部を備え、前記固定部は、３つの止着部からなり、前記止着部は、前記毛束の端を平坦な薄板状に整えて接着固定し、その１つの平坦面に粘着部を備え、前記毛束の一端側の２つの稜を円弧状に整えてなり、前記毛束の一端から他端へ向かう方向と並行な辺のうち、少なくとも１つの辺が、他の止着部の同一方向の辺と接し、前記固定部を前記止着部が接する辺から折重ねると２つの止着部に挟まれる位置となる止着部は、その粘着部を備える面の背面に、さらに粘着部を備えることとしたので、ヘアエクステンションを装着者の毛髪から脱落し難くすることができる。
請求項２に記載の発明によれば、前記固定部は、前記３つの止着部が、前記毛束の一端から他端へ向かう方向と平行な辺を隣接し、並列してなることとしたので、ヘアエクステンションを、より簡便に制作することができる。
請求項３に記載の発明によれば、前記固定部は、前記止着部の粘着部に剥離可能に貼着する剥離部を備え、当該剥離部は貼着する粘着部より一部突出することとしたので、前記粘着部から前記剥離部を容易に剥離することができる。
請求項４に記載の発明によれば、前記固定部は連接するので、ヘアエクステンションの製造に係る費用を低減することができる。
請求項５に記載の発明によれば、請求項２に記載のヘアエクステンションを再装着するためのテープであって、当該テープは、前記３つの止着部が並列してなる前記固定部に、その長手方向の何れか一端の止着部に、他の止着部に接しない辺において連接する前記止着部からなる平面形状と同一の形状であって、その両面に粘着部を備え、当該粘着部は、該粘着部と同一の形状であって、該粘着部と剥離可能に貼着する剥離部を夫々備え、１つの剥離部は、前記固定部とこれに連接する止着部の辺において切断されることとしたので、請求項２に記載のヘアエクステンションに新たな粘着部を取付けることができ、ヘアエクステンションを再利用することができる。
請求項６に記載の発明によれば、請求項１から請求項２に記載のヘアエクステンションを装着する方法であって、前記２つの面に粘着部を備える止着部の一方の粘着面と、当該一方の粘着面に対面する止着部の粘着部との間に装着者の毛髪を挟み込んで、当該止着部を装着者の毛髪に止着する工程と、前記２つの面に粘着部を有する止着部の他方の粘着部と、これに対面する止着部の粘着部との間に装着者の毛髪を挟み込んで、当該止着部を装着者の毛髪に止着する工程と、を含むのでヘアエクステンションを装着者の毛髪から脱落し難くすることができる。
【図面の簡単な説明】
【００１１】
【図１】本実施形態におけるヘアエクステンションの構成の一例を示す図である。
【図２】本実施形態におけるヘアエクステンションの固定部の構成、及びその断面を示す図である。
【図３】本実施形態におけるヘアエクステンションの装着方法を示す模式図である。
【図４】本実施形態におけるヘアエクステンションの装着方法、及ぶ装着時の断面を示す模式図である。
【発明を実施するための形態】
【００１２】
以下、本発明のヘアエクステンション、その装着方法、及びヘアエクステンション装着用テープにおける好適な実施の形態について、図１から図４を参照して詳細に説明する。
（１）実施形態の概要
天然毛、または人工毛からなる毛束の一端に、当該毛束を装着者の毛髪に固定するための平面状の粘着部を４つ備え、うち２つの粘着部は正面と背面との関係となるよう配されて両面となっており、他の粘着部は、装着の際、当該両面となる粘着部を挟み込む位置となるように配設されるヘアエクステンションであって、当該４つの粘着部の２つの粘着部がそれぞれ対面して形成される空間に、装着者の毛髪をそれぞれ挟み込んで装着するヘアエクステンション、その装着方法、ヘアエクステンション装着シートである。
より具体的には、ヘアエクステンション１は、天然毛、または人工毛からなる毛束９０を装着者の毛髪に固定する固定部１０を備え、固定部１０は、止着部２０ａ、止着部２０ｂ、止着部２０ｃを備える。
止着部２０ａから止着部２０ｃは、それぞれ毛束９０の一端を、平坦な矩形（正方形を含む）の薄板状に整えて接着固定し、その１つの平坦面に、各々粘着部４０ａ、粘着部４０ｂ、粘着部４０ｃ、を有し、毛束９０の一端側の２つの稜を円弧状に整えてなる。
止着部２０ａは、粘着部４０ａを有する面の背面に、粘着部４０ｄを備える。
止着部２０ａから止着部２０ｃは、止着部２０ａ、止着部２０ｂ、止着部２０ｃの順に、毛束９０の一端から他端へ向かう方向と並行な辺を接して連接する。
【００１３】
（２）実施形態の詳細
図１は、本実施形態が適用されるヘアエクステンションの構成図を表したものである。  図１（ａ）は、ヘアエクステンション１の正面、（ｂ）はヘアエクステンション１の背面を表す図である。
ヘアエクステンション１は、毛束９０と固定部１０からなる。
毛束９０は、天然毛である人毛や、人工毛であるポリアミド樹脂等からなる化学繊維等である。毛束９０の長さや色は、その使用の用途により任意である。毛束９０の毛量は、後述する止着部２０において接着固定する際に、毛束全体に接着剤が行き渡り、ヘアエクステンション１から毛が抜け落ちたりすることのない量であることが好ましい。
固定部１０は、装着者の毛髪を挟み込んでヘアエクステンション１を装着者の毛髪に固定する。
【００１４】
図２は、ヘアエクステンション１の固定部１０の構成、及びその断面を示す図である。
図２（ａ）は、ヘアエクステンション１の正面、（ｂ）はヘアエクステンション１の背面、（ｃ）は、固定部１０の断面を表す図である。
固定部１０は、毛束９０の一端に設けられ、３つの止着部２０（止着部２０ａ、止着部２０ｂ、止着部２０ｃ）からなる。
止着部２０は、毛束９０を装着者の毛髪に止着する。
以下、止着部２０の構成について説明する。
止着部２０は、毛束９０、粘着部４０（粘着部４０ａ、粘着部４０ｂ、粘着部４０ｃ、粘着部４０ｄ）、剥離紙５０（剥離紙５０ａ、剥離紙５０ｂ）より構成される。
毛束９０は、毛束９０の一端において、当該毛束９０を平坦な薄板状に整えて、接着固定される。毛束９０の接着固定された部分は、毛束９０の頭を揃えた矩形（正方形を含む）となるように整えられる。
【００１５】
毛束９０を接着固定する接着剤は、毛束９０から毛が抜け落ちたりすることのないよう接着できるものであれば良く、樹脂系、ウレタン系、アミド系、エステル系、アクリル系などの公知の接着剤を適宜選択することができる。
また、固定部１０は後述する連結部３０より折曲げられるため、毛束９０を接着固定する接着剤においても、少なくとも、その接着固定後において折曲げ可能な程度の可撓性を有することが好ましい。
接着剤は、ヘアエクステンション１を装着者の毛髪へ装着時に、接着部分である固定部１０が目立たないようにするため、透明であるか、毛束９０と同色であることが好ましい。また、ヘアエクステンション１の装着時に外側となる、後述する粘着部４０を備えない部分である止着部２０ｂ、止着部２０ｃの裏面の接着固定部分を毛束９０と同様の毛により覆うようにしても良い。覆う毛の長さは、ヘアエクステンション１と同じ長さであることが好ましい。毛束９０と同様の毛によって固定部１０を覆うことにより、固定部１０をより目立たなくすることができる。
【００１６】
毛束９０の接着固定する接着剤が、毛束９０の接着固定後も粘着性を有する場合には、毛束９０の接着固定した部分であって、粘着部４０を備えない部分である止着部２０ｂ、止着部２０ｃの裏面に関しては、接着固定後はその粘着性を有さないことが好ましい。止着部２０ｂ、止着部２０ｃの裏面が粘着性を有すると、ヘアエクステンション１の装着にあたり、装着者の毛髪が当該部分へ接着する可能性があり、ヘアエクステンション１の装着時の施工効率の低下、装着者の装着時の不快感や違和感、及びヘアエクステンション１の脱落の原因となるためである。毛束９０の接着固定した部分が毛束９０の接着固定後も粘着性を有する場合には、止着部２０ｂ、止着部２０ｃの裏面においては、毛束９０や装着者の毛髪等が接着しないよう、シート等によりこれを覆うようにしてもよい。シート等で止着部２０ｂ、止着部２０ｃの裏面を覆う場合にも、当該シート等は、可撓性を有し、その色は透明であるか、毛束９０と同色であることが好ましい。また、当該粘着性を利用して、毛束９０と同様の毛を接着することによりこれ覆うようにしても良い。
【００１７】
止着部２０（止着部２０ａ、止着部２０ｂ、止着部２０ｃ）は、接着固定した毛髪９０の一面にそれぞれ、粘着部４０ａ、粘着部４０ｂ、粘着部４０ｃを備える。
止着部２０ａは、粘着部４０ａを備える面の背面に粘着部４０ｄを備える。
粘着部４０は、接着固定した毛髪９０の一面の全面に、両面テープ状の接着剤を貼付して構成される。粘着部４０は、両面テープ状の接着剤の他、接着剤を塗布すること等により構成してもよい。接着剤としては、ポリアミド系樹脂、酢酸ビニル系樹脂、天然ゴム、合成ゴムなどの接着剤を使用することができる。
【００１８】
止着部２０は、毛束９０の頭を揃えた一端側の稜を、円弧状に整えられる。当該稜を円弧状に整えることにより、装着者の頭皮に稜が接触することによる装着者への不快感や違和感をなくすことができる。また、稜が、ヘアエクステンション１を装着した毛髪の幅より突出等して、毛髪をその生え際から毛先へ向かって手やブラシ等で整髪する際等の、稜が手やブラシ等に引っかかることに起因するヘアエクステンション１の脱落を防ぐことができる。
円弧の形状は、止着部２０の毛束９０の頭を揃えた一端側の辺がヘアエクステンション１を装着した毛髪の幅より突出しない程度に整えられれば良い。
【００１９】
連接部３０ａは、止着部２０ａと止着部２０ｂとの連接部分、連接部３０ｂは、止着部２０ｂ、止着部２０ｃとの連接部分である。
止着部２０ａ、止着部２０ｂ、止着部２０ｃは、毛束９０の一端から他端へ向かう方向と並行な辺の一部を接して、連接する。
ここで、連接するとは、止着部２０ａ、止着部２０ｂ、止着部２０ｃとが接着剤等によって接合される場合と、後述する止着部２０ａ、止着部２０ｂ、止着部２０ｃとを一体に構成する場合も含む。
連接部３０（連接部３０ａ、連接部３０ｂ）は、止着部２０の毛束９０の一端から他端へ向かう方向と並行な辺のうち４分の１程度を接して連接する。連接部３０は、当該平行な辺の一部のみを連接することで、止着部を折重ねる際の、折曲げる方向と反対である元の位置へ戻ろうとする力による反発を低減することができ、ヘアエクステンション１が装着者の毛髪から脱落し難くすることができる。連接部３０の連接する辺の長さは、粘着部４０に用いる接着剤の強度や、毛束９０を接着固定する接着剤の可撓性等により決定しても良い。
【００２０】
止着部２０の剥離紙５０は、剥離可能に粘着部４０へ貼着される。
剥離紙５０は、ヘアエクステンション１が使用されるまで、粘着部４０に貼着してこれを保護するものである。
剥離紙５０ａは、粘着部４０ａ、粘着部４０ｂ、粘着部４０ｃに、剥離紙５０ｂは、粘着部４０ｄに貼着される。剥離紙５０ａを一枚とすることで、剥離紙５０ａを粘着部４０ａ、粘着部４０ｂ、粘着部４０ｃそれぞれに独立して貼着する場合に比して、ヘアエクステンション１装着時の剥離紙５０ａを剥離する手間を一度とすることができる。本実施例においては、剥離紙５０は剥離紙５０ａと剥離紙５０ｂとに分けているが、これを一体として、止着部２０ａの粘着部４０ａから粘着部４０ｄへ折返して構成するようにしても良い。
【００２１】
剥離紙５０ａは、止着部２０ａ、止着部２０ｂ、止着部２０ｃが連結した形状を、剥離紙５０ｂは、止着部２０ａと同一の形状をとる。
剥離紙５０ａは、止着部２０ａ、または止着部２０ｃの端において、これらより延出、または突出して設けられても良い。延出または突出する部分は、止着部２０ａの端全体でも、その一部でも良い。剥離紙５０ａが止着部２０ａの端より延出または突出することで、剥離紙５０ａを剥離する際の取っ掛かりとなり、剥離紙５０ａを粘着部４０ａ、粘着部４０ｂ、粘着部４０ｃより剥離する際、剥離しやすくすることができる。
剥離紙５０ｂにおいても同様に、止着部２０ａの何れかから延出または突出するように、剥離紙５０ｂを構成することができる。本実施例の固定部１０においては、止着部２０ａにおいては、連結部３０ｂより粘着部４０ａが粘着部４０ｂに対面するよう折曲げられるため、剥離紙５０ｂは止着部２０ａの連結部３０ｂの端において延出または突出することが好ましい。
剥離紙５０は、例えば、ポリエステルフィルムやシリコン樹脂を塗布した上質紙などである。剥離紙５０は、粘着部４０を保護し、粘着部４０から剥離可能な材料によればよい。
なお、図２（ｃ）は、固定部１０を概念的に表したものであり、実際のヘアエクステンション１においては、粘着部４０の厚みは非常に薄いものである。
【００２２】
以上、止着部２０は、毛束９０を接着固定し、その稜を整え、これに粘着部４０を設けて構成されるが、毛束９０を接着固定し、粘着部４０を設けた後に、稜を円弧状に整えても良い。また、３つの止着部２０ａ、止着部２０ｂ、止着部２０ｃを一体として形成してもよい。この場合、図２の断面図に示す層を形成後、各止着部の稜を円弧状に整え、当該円弧の形状によっては、連接部３０ａ及び連接部３０ｂは切込み等によって形成される。
【００２３】
図４（ｃ）に示すように、本実施例においては、固定部１０は、その連結部３０より折曲げて止着部２０が折重ねられると、その断面はｅ字状となるが、固定部１０の形状はこれに限られない。
例えば、固定部１０は、止着部２０ａ、止着部２０ｂ、止着部２０ｃを連接してなり、止着部２０ａ、止着部２０ｂの正面、止着部２０ｂ、止着部２０ｃの背面に、粘着部４０を設けるよう構成してもよい。この場合、固定部１０は、その連結部３０を粘着部４０同士が対面するよう折曲げて止着部２０が折重ねられる。折重ねられた固定部１０の断面はｓ字状となる。
この他、固定部１０は、帯状でなく、止着部２０ａ、止着部２０ｂ、止着部２０ｃとが、毛束９０の一端から他端へ向かう方向と並行な１つの辺で接して、止着部２０ｂを止着部２０ａと止着部２０ｃとで挟む構成としてもよい。止着部２０ｂはその両面に粘着部４０を、止着部２０ａと止着部２０ｃは、止着部２０ｂの面着部４０と対面する面に粘着部４０を備える。この場合、固定部１０の断面は略Ｅ字状となる。
【００２４】
つまり、上記構成にかかわらず、固定部１０は、粘着部４０を４つ備え、うち２つの粘着部４０は正面と背面との関係となるよう配されて両面となり、他の粘着部４０が当該両面となる粘着部４０を挟み込むよう位置となるように配設されればよい。
【００２５】
本実施例においては、ヘアエクステンション１は、１つの固定部１０からなるが、当該固定部１０を連接して構成することもできる。ヘアエクステンション１の使用時においては、固定部１０ごとに切り離して使用することができる。固定部１０を連接して構成することで、固定部１０を単体で作成するよりも、製造に係る費用を低減することができる。
固定部１０同士の連接部分は、接する辺のうち４分の１程度であることが好ましい。接する辺のすべてが接する場合に比して、切断が容易となる。
この場合において、連接する固定部１０を一体として成型する場合には、固定部１０の接着剤、及び粘着部４０の粘着剤は、人の手により容易に切断可能な材料であって、切断により固定部や粘着部の機能が低下することのない材料により構成することが好ましい。成形した固定部１０を接着等により連接する場合にも、連接の際に使用する接着剤は、同様に、人の手により容易に切断可能な材料であることが好ましい。
【００２６】
本実施例においては、止着部２０は毛束９０の一端を接着固定して成形されるため、固定部１０は止着部２０の数だけ毛束を有するが、必ずしもすべての止着部２０に毛束を備える必要はない。例えば、止着部２０ｂにおいては毛束を備えないように構成してもよい。固定部１０は、ヘアエクステンション１の施術にあたり、必要な毛量を与えられればよい。
固定部１０において、毛束を備えない止着部２０を備える場合には、可撓性を有するシート等に毛束９０を接着して固定部１０を構成するようにしてもよい。
【００２７】
次に、以上のように構成された実施形態の装着方法について説明する。
図３は、装着方法を示す模式図である。
施術者は、装着者のヘアエクステンション１を装着する位置の毛髪Ｈを上下に分けて、ヘアクリップ等で固定する（ａ）。施術者は、剥離紙５０ａを固定部１０から剥離する（ｂ）。
毛髪Ｈ１は、ヘアエクステンション１を装着する位置であって、下に分けた毛髪Ｈを、止着部２０の幅からはみ出さない程度の幅でとったものである。
施術者は、毛髪Ｈ１と頭の間（毛髪Ｈ１の下部）に固定部１０の粘着部４０ｂを配置し（ｃ）、これにＨ１を接着する（ｄ）。
続いて、施術者は連結部３０ｂから止着部２０ａを折曲げ（ｅ）、粘着部４０ａを毛髪Ｈ１に接着する（ｆ）。この際、接着した部分を押圧しても良い。接着部分を押圧することで、接着をより強固なものとすることができる。
これにより、ヘアエクステンション１は、毛髪Ｈ１に、２つの粘着面４０ａ、粘着部４０ｂにより止着される。
【００２８】
図４は、装着方法、及ぶ装着時の断面を示す模式図である。
施術者は、剥離紙５０ｂを固定部１０より剥離する（ｇ）。
毛髪Ｈ２は、ヘアエクステンション１を装着する位置であって、上に分けた毛髪Ｈを、止着部２０の幅からはみ出さない程度の幅でとったものである。
施術者は、毛髪Ｈ２をとり（ｈ）、粘着部４０ｄに毛髪Ｈ２を接着する（ｉ）。
続いて、施術者は連結部３０ａから止着部２０ｃを折曲げ（ｊ）、粘着部４０ｃを毛髪Ｈ２に接着する（ｋ）。
これにより、ヘアエクステンション１は、毛髪Ｈ２に、２つの粘着面４０ｃ、粘着部４０ｄにより止着される。
最後に、施術者は、止着部２０が重なり合うこととなった固定部１０を押圧する。押圧は施術者の指によって行なってもよいが、ペンチやニッパー等の挟んだものを押圧可能な器具により挟み、これを押圧することが好ましい。ペンチ等の器具により押圧することで、粘着面４０と毛髪Ｈとの接着をより強固なものとすることができる。
以上により、図４（ｌ）の断面図が示すように、固定部１０は、毛髪Ｈ１、毛髪Ｈ２にそれぞれ２つの粘着部４０により止着され、ヘアエクステンション１は、装着者の毛髪Ｈに強固に固定される。
【００２９】
従来のテープを用いて装着するヘアエクステンションにおいては、その固定の方法は、装着者のひと束の毛髪を２つの粘着面で挟み込むものである。また、ヘアエクステンションの脱落を防ぐ方法としては、当該ひと束の毛髪を挟み込んだ２つの粘着面の外周に、更に粘着面を巻きつけるものである。毛髪を挟み込んだ２つの粘着面の外周に更に粘着面を巻きつけたとしても、これにより接着の強度が向上するのは、２つの粘着面の外周とその外周に巻きつける粘着面との接着であって、毛髪と粘着面との接着強度が向上するものではない。よって、当該構造は、ヘアエクステンションの脱落防止に寄与するものではない。
これに対し、本実施例のヘアエクステンション１は、装着者の毛髪に対して４つの面着面で止着されるものであり、従来のヘアエクステンションに比してより強固に装着者の毛髪に固定されるものである。
実際に、従来のヘアエクステンションは２から３週間で装着者の頭髪から脱落するのに対し、本実施例におけるヘアエクステンション１は、およそ３ヶ月の間、その接着力の低下によって装着者の毛髪から脱落することはない。
【００３０】
また、ヘアエクステンション１は、オリーブオイル等のオイルやエタノール等の低刺激性有機溶剤など、粘着部４０を剥離等する効果を有する液体やクリーム等を固定部１０に湿潤させることで、その粘着部４０を容易に毛髪Ｈから剥離することができる。この場合においても、２つの粘着面とその外周に粘着面を巻きつける構造では、粘着面が層となっているため、オイル等が毛髪まで湿潤し難く、ヘアエクステンションの取外しが難しい。これに対し、本実施例のヘアエクステンション１は、毛髪Ｈまで１つの粘着面を介するのみであるためオイル等が毛髪Ｈまで湿潤しやすく、ヘアエクステンション１の取外しが容易で、その作業時間も短時間である。
【００３１】
本実施例の装着方法においては、粘着部４０ｂに毛髪Ｈ１を接着させ、これに粘着部４０ａを接着しているが、施術者は、連結部３０ｂから止着部２０ａを折曲げて、毛髪Ｈ１を粘着部４０ａと粘着部４０ｂとで挟み込んでヘアエクステンション１を毛髪Ｈ１に接着してもよい。毛髪Ｈ２においても同様に、施術者は、連結部３０ａから止着部２０ｃを折曲げ、毛髪Ｈ２を粘着部４０ｃと粘着部４０ｄとで挟み込んでヘアエクステンション１を毛髪Ｈ２に接着してもよい。
本実施例の装着方法では、固定部１０に装着者の毛髪Ｈを挟み込んで止着する場合に比して、施術者が毛髪Ｈを引っ張る時間を低減することができ、装着者が感じる毛髪が引っ張られることへの不快感を軽減することができる。何れの装着方法を採用するかは装着者の毛髪Ｈの質や長さ、施術中の装着者の様子等により、施術者がこれを適宜選択することができる。
【００３２】
次に、ヘアエクステンション１の装着用テープの実施形態について説明する。
ヘアエクステンション１は、その固定部１０の損傷等により脱落した場合等であって、毛束９０が未だ使用可能である場合には、固定部１０の粘着部４０を装着用テープに付け替えることで再利用することができる。
装着用テープは、ヘアエクステンション１の固定部１０に止着部２０が連接した形状と同一の形状、つまり、４つの止着部２０が、毛束９０の一端から他端へ向かう方向と並行な辺で接して連接してなる形状と同一の形状である。
装着用テープは、その正面及び背面に粘着部を備え、当該粘着部にはそれぞれ剥離紙が貼着される。
装着用テープの背面に貼着される剥離紙は、その左端に位置する連結部の位置において左右に分断される。当該位置にて剥離紙を分断することで、後述するヘアエクステンション１への装着用テープの取付けの際、装着用テープの粘着部のみを折曲げることができ、また、ヘアエクステンション１を装着者の毛髪に取り付ける際に、剥離紙を剥離しやすくすることができる。
【００３３】
次に、装着用テープのヘアエクステンション１への取付けについて説明する。
施術者は、ヘアエクステンション１の固定部１０に、粘着部４０の接着剤が残存している場合には、オイルやエタノール、専用のリムーバ等でこれを除去する。
施術者は、装着用テープの正面の剥離紙を剥離する。
施術者は、装着用テープの正面長手方向左端にヘアエクステンション１の固定部１０の端を合わせ、ヘアエクステンション１を装着用テープの粘着部に接着する。続いて、施術者は、固定部１０より右手に残る装着用テープの粘着部を、固定部１０の端より折返して、固定部１０に接着する。
これにより、ヘアエクステンション１への装着用テープの取付けは完了し、ヘアエクステンション１の固定部１０が、当初に有する粘着部と同じ位置に、新たに粘着部を取付けることができる。
【００３４】
本実施例においては、装着用テープは、４つの止着部２０が、毛束９０の一端から他端へ向かう方向と並行な辺を接して連接してなる形状と同一の形状として構成されるが、装着用テープの形状はこれに限られるものではない。装着用テープは、４つの止着部のうち３つの止着部２０が連接し、その連接する何れか一端の止着部２０において、残る１つの止着部２０は、毛束９０の一端から他端へ向かう方向と並行な辺に垂直な辺において接するようにしても良い。
装着用テープは、ヘアエクステンション１が有する粘着部４０を、ヘアエクステンション１に再度与えられる構成であればよく、ヘアエクステンション１の有する粘着部４０の位置により適宜その形状を決定することができる。
【００３５】
以上説明したように本実施形態のヘアエクステンション、その装着方法、及びヘアエクステンション装着用テープによれば、ヘアエクステンションを装着者の毛髪に対して４つの粘着面で止着されるものとしたので、従来のヘアエクステンションに比してより強固に装着者の毛髪にヘアエクステンションを固定することができる。
【００３６】
以上、本発明のヘアエクステンション、その装着方法、及びヘアエクステンション装着用テープにおける実施形態について説明したが、本発明は説明した実施形態に限定されるものではなく、各請求項に記載した範囲において各種の変形を行うことが可能である。
【符号の説明】
【００３７】
１  ヘアエクステンション
１０  固定部
２０  止着部
３０  連結部
４０  粘着部
５０  剥離紙
９０  毛束
Ｈ  毛髪
【要約】
【課題】装着者の毛髪から脱落し難いヘアエクステンション、その装着方法、及びヘアエクステンション装着用テープを提供することを目的とする。
【解決手段】ヘアエクステンション１は、天然毛、または人工毛からなる毛束９０を装着者の毛髪に固定する固定部１０を備え、固定部１０は、止着部２０ａ、止着部２０ｂ、止着部２０ｃを備える。
止着部２０ａから止着部２０ｃは、それぞれ毛束９０の一端を、平坦な矩形（正方形を含む）の薄板状に整えて接着固定し、その１つの平坦面に、各々粘着部４０ａ、粘着部４０ｂ、粘着部４０ｃ、を有し、毛束９０の一端側の２つの稜を円弧状に整えてなる。
止着部２０ａは、粘着部４０ａを有する面の背面に、粘着部４０ｄを備える。
止着部２０ａから止着部２０ｃは、止着部２０ａ、止着部２０ｂ、止着部２０ｃの順に、毛束９０の一端から他端へ向かう方向と並行な辺を接して連接する。
【選択図】図１【図１】
0006650160.tif 000002
【図２】
0006650160.tif 000003
【図３】
0006650160.tif 000004
【図４】
0006650160.tif 000005